(57)【要約】【課題】複写機能を備える印刷装置であって、不定形サイズの原稿の取り扱いについてユーザー利便性の良い印刷装置、等を提供する。【解決手段】複写機能を備えた印刷装置が、原稿を供給する原稿供給部と、前記原稿供給部から供給された原稿をスキャニングし、当該原稿の画像データを生成する画像読取部と、前記画像データに基づいて、用紙に印刷を行う印刷部と、前記画像データに基づいて、前記原稿に含まれる各ページの長さが、予め定められた第１定型サイズとみなす許容範囲に入る場合には、当該ページの前記印刷に用いる前記用紙を前記第１定型サイズの用紙とし、前記各ページの長さが、予め定められた第２定型サイズとみなす許容範囲に入る場合には、当該ページの前記印刷に用いる前記用紙を前記第２定型サイズの用紙とする制御部と、を備える。【選択図】  図１
2019024183.tif 000002
【特許請求の範囲】
【請求項１】
複写機能を備えた印刷装置であって、
原稿を供給する原稿供給部と、
前記原稿供給部から供給された原稿をスキャニングし、当該原稿の画像データを生成する画像読取部と、
前記画像データに基づいて、用紙に印刷を行う印刷部と、
前記画像データに基づいて、前記原稿に含まれる各ページの長さが、予め定められた第１定型サイズとみなす許容範囲に入る場合には、当該ページの前記印刷に用いる前記用紙を前記第１定型サイズの用紙とし、前記各ページの長さが、予め定められた第２定型サイズとみなす許容範囲に入る場合には、当該ページの前記印刷に用いる前記用紙を前記第２定型サイズの用紙とする制御部と、を備える
ことを特徴とする印刷装置。
【請求項２】
請求項１において、
前記制御部は、前記原稿に、前記第１定型サイズとみなす許容範囲及び前記第２定型サイズとみなす許容範囲のいずれにも入らない長さのページが存在する場合、当該ページの前記印刷に用いる前記用紙のサイズを不定形サイズとし、当該ページの前記印刷を実行するか否かを選択させる画面を表示し、当該画面に応答して当該ページの前記印刷を実行しない旨の選択操作がなされると、当該ページを除外して前記原稿の前記印刷を前記印刷部に実行させる
ことを特徴とする印刷装置。
【請求項３】
請求項２において、
前記制御部は、片面印刷である前記原稿を両面印刷する場合に、前記画面に応答して前記不定形サイズとしたページの前記印刷を実行する旨の選択操作がなされると、当該ページの前記印刷を前記用紙の表面に行う際には、前記第１定型サイズよりも大きい前記第２定型サイズの前記用紙を用いる
ことを特徴とする印刷装置。
【請求項４】
請求項２において、
前記第２定型サイズは前記第１定型サイズよりも大きく、
前記制御部は、前記ページの長さが前記第１定型サイズとみなす許容範囲よりも小さい場合に第１不定形サイズとし、前記ページの長さが前記第２定型サイズとみなす許容範囲よりも大きい場合に第２不定形サイズとし、片面印刷である前記原稿を両面印刷する場合に、前記画面に応答して前記不定形サイズとしたページの前記印刷を実行する旨の選択操作がなされると、当該ページの前記印刷を前記用紙の表面に行う際には、当該ページが前記第１不定形サイズとされている場合には前記第１定型サイズの前記用紙を用い、当該ページが前記第２不定形サイズとされている場合には前記第２定型サイズの前記用紙を用いる
ことを特徴とする印刷装置。
【請求項５】
原稿を供給する原稿供給部と、前記原稿供給部から供給された原稿をスキャニングし、当該原稿の画像データを生成する画像読取部と、前記画像データに基づいて、用紙に印刷を行う印刷部と、を備える印刷装置の印刷方法であって、
前記画像データに基づいて、前記原稿に含まれる各ページの長さが、予め定められた第１定型サイズとみなす許容範囲に入る場合には、当該ページの前記印刷に用いる前記用紙を前記第１定型サイズの用紙とし、前記各ページの長さが、予め定められた第２定型サイズとみなす許容範囲に入る場合には、当該ページの前記印刷に用いる前記用紙を前記第２定型サイズの用紙とする
ことを特徴とする印刷方法。
【発明の詳細な説明】
【技術分野】
【０００１】
本発明は、複写機能を備える印刷装置等に関し、特に、不定形サイズの原稿の取り扱いについてユーザー利便性の良い印刷装置等に関する。
【背景技術】
【０００２】
従来、複写機能を備える印刷装置が普及している。かかる印刷装置では、近年、高機能化が進み、用紙サイズやタテ・ヨコの方向が異なる用紙が混在する原稿であっても、それらの複写をすることが可能であり、また、片面印刷の原稿から両面印刷の複写をすることなども可能である。
【０００３】
これらの機能に関連して、下記特許文献１には、縦方向の原稿と横方向の原稿をセットして混載印刷を行う場合に、ユーザーが指定した複写用紙の向きと異なる向きの原稿については、当該原稿をスキャニングして得た画像データを９０度回転させて印刷することなどが記載されている。
【先行技術文献】
【特許文献】
【０００４】
【特許文献１】特開平１１−１６４１２５号公報
【発明の概要】
【発明が解決しようとする課題】
【０００５】
しかしながら、従来の装置では、原稿に用紙サイズやタテ・ヨコの方向が異なる用紙が混在する混載印刷の場合において、不定形サイズの用紙の取り扱いルールが詳細に設定されていなかった。
【０００６】
そのため、原稿に不定形サイズのものが含まれる場合に、ユーザーが所望した印刷結果を得られない場合があった。
【０００７】
そこで、本発明の目的は、複写機能を備える印刷装置であって、不定形サイズの原稿の取り扱いについてユーザー利便性の良い印刷装置、等を提供することである。
【課題を解決するための手段】
【０００８】
上記の目的を達成するために、本発明の一つの側面は、複写機能を備えた印刷装置が、原稿を供給する原稿供給部と、前記原稿供給部から供給された原稿をスキャニングし、当該原稿の画像データを生成する画像読取部と、前記画像データに基づいて、用紙に印刷を行う印刷部と、前記画像データに基づいて、前記原稿に含まれる各ページの長さが、予め定められた第１定型サイズとみなす許容範囲に入る場合には、当該ページの前記印刷に用いる前記用紙を前記第１定型サイズの用紙とし、前記各ページの長さが、予め定められた第２定型サイズとみなす許容範囲に入る場合には、当該ページの前記印刷に用いる前記用紙を前記第２定型サイズの用紙とする制御部と、を備える、ことである。
【０００９】
当該側面により、原稿に不定形サイズのページが含まれていた際の用紙選択が適切に行われ、ユーザーの意に反した印刷結果になることを回避できる。
【００１０】
更に、上記発明において、その好ましい一つの態様は、前記制御部は、前記原稿に、前記第１定型サイズとみなす許容範囲及び前記第２定型サイズとみなす許容範囲のいずれにも入らない長さのページが存在する場合、当該ページの前記印刷に用いる前記用紙のサイ
ズを不定形サイズとし、当該ページの前記印刷を実行するか否かを選択させる画面を表示し、当該画面に応答して当該ページの前記印刷を実行しない旨の選択操作がなされると、当該ページを除外して前記原稿の前記印刷を前記印刷部に実行させる、ことを特徴とする。
【００１１】
当該態様により、不定形サイズのページが含まれている場合に、ユーザーニーズに即した印刷を実行できる。
【００１２】
更に、上記発明において、その好ましい一つの態様は、前記制御部は、片面印刷である前記原稿を両面印刷する場合に、前記画面に応答して前記不定形サイズとしたページの前記印刷を実行する旨の選択操作がなされると、当該ページの前記印刷を前記用紙の表面に行う際には、前記第１定型サイズよりも大きい前記第２定型サイズの前記用紙を用いる、ことを特徴とする。
【００１３】
当該態様により、不定形サイズのページを印刷する場合にも、内容が欠落しない印刷を行うことができる。
【００１４】
更に、上記発明において、その好ましい一つの態様は、前記第２定型サイズは前記第１定型サイズよりも大きく、前記制御部は、前記ページの長さが前記第１定型サイズとみなす許容範囲よりも小さい場合に第１不定形サイズとし、前記ページの長さが前記第２定型サイズとみなす許容範囲よりも大きい場合に第２不定形サイズとし、片面印刷である前記原稿を両面印刷する場合に、前記画面に応答して前記不定形サイズとしたページの前記印刷を実行する旨の選択操作がなされると、当該ページの前記印刷を前記用紙の表面に行う際には、当該ページが前記第１不定形サイズとされている場合には前記第１定型サイズの前記用紙を用い、当該ページが前記第２不定形サイズとされている場合には前記第２定型サイズの前記用紙を用いる、ことを特徴とする。
【００１５】
当該態様により、不定形サイズのページを印刷する場合にも、使用する用紙のサイズについて細かくかつ適正に処理され、適切な印刷を行うことができる。
【００１６】
上記の目的を達成するために、本発明の別の側面は、原稿を供給する原稿供給部と、前記原稿供給部から供給された原稿をスキャニングし、当該原稿の画像データを生成する画像読取部と、前記画像データに基づいて、用紙に印刷を行う印刷部と、を備える印刷装置の印刷方法において、前記画像データに基づいて、前記原稿に含まれる各ページの長さが、予め定められた第１定型サイズとみなす許容範囲に入る場合には、当該ページの前記印刷に用いる前記用紙を前記第１定型サイズの用紙とし、前記各ページの長さが、予め定められた第２定型サイズとみなす許容範囲に入る場合には、当該ページの前記印刷に用いる前記用紙を前記第２定型サイズの用紙とする、ことである。
【００１７】
本発明の更なる目的及び、特徴は、以下に説明する発明の実施の形態から明らかになる。
【図面の簡単な説明】
【００１８】
【図１】本発明を適用した印刷装置の実施の形態例に係る概略構成図である。
【図２】混載印刷の原稿の一例を模式的に示した図である。
【図３】混載印刷機能がオン（有効）になっている場合の複写印刷の処理手順を例示したフローチャートである。
【図４】混載印刷機能がオン（有効）になっている場合の複写印刷の処理手順を例示したフローチャートである。
【図５】混載印刷機能がオン（有効）になっている場合の複写印刷の処理手順を例示したフローチャートである。
【図６】混載印刷機能がオン（有効）になっている場合の複写印刷の処理手順を例示したフローチャートである。
【図７】混載印刷機能がオン（有効）になっている場合の複写印刷の処理手順を例示したフローチャートである。
【図８】混載印刷機能がオン（有効）になっている場合の複写印刷の処理手順を例示したフローチャートである。
【発明を実施するための形態】
【００１９】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００２０】
図１は、本発明を適用した印刷装置の実施の形態例に係る概略構成図である。図１に示す印刷装置１が本発明を適用した印刷装置であり、本印刷装置１は、複写機能を備え、混載印刷で、かつ、片面原稿から両面印刷を行う際、同一サイズの原稿が奇数枚連続して含まれている場合には、ユーザーの意に反して原稿に整合しない用紙に印刷を行ってしまうこと、を回避する処理を実行する。これにより、複雑な複写を行う場合にも、ユーザーが所望する印刷結果が得られ、ユーザー利便性を向上させることができる。
【００２１】
また、本印刷装置１では、原稿に不定形サイズの用紙が含まれる場合にも、その用紙について従来よりも細かく定義し、ユーザーニーズを反映させた対応を行う。従って、この点でも、自由度が高くなり、ユーザー利便性を向上させることができる。
【００２２】
なお、本明細書では、複写する原稿に用紙サイズ又は用紙の方向が異なる用紙が混在する場合、すなわち、後述する画像読取部１２でスキャニングにより生成される画像データ（スキャンデータ）の縦横のサイズが異なる原稿が混在する場合、の印刷を混載印刷と呼ぶ。また、片面印刷の原稿から両面印刷の複写物を生成する複写印刷を、ここでは、簡略的に片面／両面印刷と呼ぶ。
【００２３】
本印刷装置１は、一例として、複写機能（コピー機能）を備える、いわゆる複合機である。印刷装置１は、複写印刷において、上述した混載印刷及び片面／両面印刷の機能を備える。
【００２４】
印刷装置１は、図１に示されるように、原稿供給部１１、画像読取部１２、操作部１３、制御部１４、及び、印刷部１５を備える。
【００２５】
原稿供給部１１は、ユーザーが原稿を載置する手差しトレイ、そこに置かれた原稿を１枚（１ページ）ずつ画像読取部１２に供給する搬送装置などを備える。
【００２６】
画像読取部１２は、ＣＣＤカメラを備え、原稿供給部１１から送られた原稿をスキャニングし、その原稿の画像データ（スキャンデータ）を生成する。
【００２７】
操作部１３は、印刷装置１のユーザーインターフェースであり、操作ボタン、表示モニターなどを備える。ユーザーが複写機能を用いる場合には、当該操作部１３を用いて、各種の設定を行う。
【００２８】
印刷部１５は、制御部１４の指示に従って用紙など（印刷媒体）に印刷を行う印刷機構を備える。具体的には、印刷部１５は、用紙の給紙口、用紙の搬送部、及び、印刷ヘッド等を備える。また、印刷部１５は、両面印刷を行うための用紙反転装置を備える。
【００２９】
制御部１４は、印刷装置１の各部を制御するコントローラーであり、原稿供給部１１、画像読取部１２、操作部１３、及び、印刷部１５の動作を制御する。図示していないが、制御部１４は、ハードウェア構成としては、ＣＰＵ、ＲＡＭ、ＲＯＭ、ＮＶＲＡＭ、ＡＳＩＣ（Application Specific Integrated Circuit）等を備える。
【００３０】
本印刷装置１では、混載印刷における制御部１４の制御に特徴があり、その具体的な内容は後述する。なお、制御部１４による制御の処理は、当該処理を指示するプログラム、当該プログラムに従って動作するＣＰＵ、プログラムを格納するＲＯＭ、ＲＡＭ、ＮＶＲＡＭ等が協働して動作することにより実行される。
【００３１】
以上説明したような構成を備える本実施の形態例に係る印刷装置１では、上述のように、混載印刷の場合の処理、不定形サイズの原稿の処理に特徴があるが、一般的な複写印刷の処理は以下の通りである。
【００３２】
ユーザーがコピーを取るときには（複写物を生成するときには）、まず、ユーザーがその原稿を原稿供給部１１の手差しトレーにセットし、操作部１３で所望の設定操作を行った後に、操作部１３の操作ボタンによりコピー実行（開始）の操作を行う。その操作を受けて、原稿供給部１１は、セットされた原稿を１枚（１ページ）ずつ画像読取部１２に送る。画像読取部１２は、送られた原稿のスキャニングを行い、そのスキャンデータを生成する。スキャニング後の原稿は、原稿供給部１１により排紙される。このスキャニングと排紙が全ページについて実行される。
【００３３】
原稿の各ページのスキャンデータは、制御部１４に送られ、制御部１４は、それのスキャンデータ（のサイズ）から用紙サイズを把握し、そのサイズに整合した用紙（の給紙口）を選択する。その後、スキャンデータに基づいて、選択した用紙に対して印刷部１５に複写印刷を実行させる。
【００３４】
次に、混載印刷の場合について処理内容を説明する。なお、ここでは、Ａ４サイズ（第１定型サイズ）とＡ３サイズ（第２定型サイズ）の原稿が混在した混載印刷の場合を説明する。図２は、混載印刷の原稿の一例を模式的に示した図である。図２に示す例の原稿２は、Ａ４サイズの原稿が３ページ（枚）連続して続いた後に、Ａ３サイズの原稿が２ページ連続して続いている。図２において、各ページに付されるｎ値は、何ページ目であるかを表しており、印刷装置１では、画像読取部１２によってスキャニングした際に、そのスキャンデータに対してこのｎ値を付する。
【００３５】
このように、混載印刷で、同一サイズで奇数枚連続した原稿（以下、奇数枚連続原稿と称す）が含まれ、かつ、片面／両面印刷が指定された場合には、特段の処理を行わないと、原稿と使用する用紙に不整合が発生してしまう。図２の例の場合、ｎ＝３の原稿がＡ４サイズの用紙の表面に印刷された後、ｎ＝４のＡ３サイズの原稿が当該Ａ４サイズの用紙の裏面に印刷されてしまうことが起こってしまう。
【００３６】
従って、本印刷装置１では、そのような印刷を回避する処理（以下、回避処理と称す）を実行する。印刷装置１では、複数のオプションを用意し、ユーザーが選択したオプションにしたがって処理を実行する。一つのオプションは、奇数枚連続原稿の後にも原稿がある場合には、奇数枚連続原稿の最後に白紙の同一サイズの原稿を付加するという処理である。図２の例では、ＥＰで示すページがそれに相当する。こうすることにより、上述した不具合な印刷は回避される。ない、当該白紙のページは、スキャンデータとして付加される。
【００３７】
また、他のオプションとしては、片面印刷に切り換える、そのまま印刷を実行する、コピーを中止する、というものが用意される。
【００３８】
本印刷装置１の別の特徴は、原稿に不定形サイズの用紙が用いられた原稿が含まれていた際の処理である。印刷装置１では、スキャンデータのサイズと、予め定めたＡ４又はＡ３サイズとみなす許容範囲に基づいて、読み込まれた原稿を「Ａ４」、「Ａ３」、「不定形サイズ（小）」、又は、「不定形サイズ（大）」に識別する。そして、印刷装置１は、その識別結果とユーザーの指示に基づいて、適切な用紙に複写印刷を実行する。
【００３９】
図３−図８は、混載印刷機能がオン（有効）になっている場合の複写印刷の処理手順を例示したフローチャートである。以下、図３−図８に基づいて、混載印刷の場合の具体的な処理内容について説明する。
【００４０】
まず、ユーザーによって操作部１３を介して混載印刷機能が有効にされている状態で、ユーザーにより操作部１３からコピー開始の操作が行われると処理が開始する。
【００４１】
まず、制御部１４は、手差しトレイに備えられるセンサーの検出に基づいて、手差しトレイに原稿があるか否か（原稿がセットされているか否か）をチェックし（図３のステップＳ１）、原稿がない場合には、原稿サイズが検知できない旨のメッセージを操作部１３の表示モニターに表示する（図３のステップＳ２）。なお、原稿サイズとは、原稿に使われている用紙の用紙サイズを意味する。
【００４２】
その後、制御部１４は、操作部１３のコピー開始ボタン（コピー実行ボタン）が押下されたか否かをチェックし（図３のステップＳ３）、押下された場合には、原稿がセットされたと判断し、処理がステップＳ１に戻る。一方、コピー開始ボタンが押下されずに（図３のステップＳ３のＮｏ）、操作部１３のコピー中止ボタンが押下された場合には（図３のステップＳ４のＹｅｓ）、制御部１４は、当該複写印刷処理を終了する。
【００４３】
手差しトレイに原稿がある場合には（図３のステップＳ１のＹｅｓ）、制御部１４は、原稿供給部１１と画像読取部１２に、手差しトレイにセットされた原稿の搬送とスキャニングを１枚ずつ全ページについて実行させる（図３のステップＳ５のＹｅｓ）。
【００４４】
当該処理により、原稿の各ページについてのスキャンデータ（画像データ）が上述したｎ値が付加されて生成される。
【００４５】
制御部１４は、生成された各スキャンデータについて、原稿サイズの判定処理（識別処理）を実行する。まず、制御部１４は、１ページ目から、すなわち、ｎ＝１として（図３のステップＳ６）、以下のステップＳ８−Ｓ１５の処理を全ページについて適宜実行する（図３のステップＳ１６）。
【００４６】
ステップＳ８では、制御部１４は、スキャンデータのサイズに基づいて、原稿の用紙長さが、Ａ４サイズとみなせる範囲に入っているか否かをチェックする（図３のステップＳ８）。具体的には、制御部１４は、予め定められた長さＬ１及びＬ２を用いて、以下の式が成立するか否かを判定する。なお、用紙長さは、ここでは、矩形の長辺の長さである。
【００４７】
（Ａ４の用紙長さ−Ｌ１）≦原稿の用紙長さ≦（Ａ４の用紙長さ＋Ｌ２）
当該判定の結果、上記式が成立し、すなわち、Ａ４サイズとみなせる範囲に入っている場合には（図３のステップＳ８のＹｅｓ）、制御部１４は、当該ページ（ｎページ目の原稿）の原稿サイズを「Ａ４」に設定する（図３のステップＳ９）。
【００４８】
一方、上記式が成立せず、すなわち、Ａ４サイズとみなせる範囲に入っていない場合には（図３のステップＳ８のＮｏ）、制御部１４は、スキャンデータのサイズに基づいて、原稿の用紙長さが、Ａ３サイズとみなせる範囲に入っているか否かをチェックする（図３のステップＳ１０）。具体的には、制御部１４は、予め定められた長さＬ３及びＬ４を用いて、以下の式が成立するか否かを判定する。
【００４９】
（Ａ３の用紙長さ−Ｌ３）≦原稿の用紙長さ≦（Ａ３の用紙長さ＋Ｌ４）
当該判定の結果、上記式が成立し、すなわち、Ａ３サイズとみなせる範囲に入っている場合には（図３のステップＳ１０のＹｅｓ）、制御部１４は、当該ページ（ｎページ目の原稿）の原稿サイズを「Ａ３」に設定する（図３のステップＳ１１）。
【００５０】
一方、上記式が成立せず、すなわち、Ａ３サイズとみなせる範囲に入っていない場合には（図３のステップＳ１０のＮｏ）、制御部１４は、当該ページの原稿サイズは、Ａ４及びＡ３サイズとみなせず、不定形サイズであると判断する。そして、制御部１４は、スキャンデータに基づいて、原稿サイズが、Ａ４サイズとみなせる下限値よりも小さい（短い）か否かを判定する（図３のステップＳ１２）。具体的には、制御部１４は、以下の式が成立するか否かを判定する。
【００５１】
原稿サイズ＜（Ａ４の用紙長さ−Ｌ１）
当該判定の結果、上記式が成立すれば、すなわち、原稿サイズがＡ４サイズとみなせる下限値よりも小さい場合には（図３のステップＳ１２のＹｅｓ）、制御部１４は、当該ページ（ｎページ目の原稿サイズ）を「不定形サイズ（小）」に設定する（図３のステップＳ１３）。
【００５２】
一方、上記式が成立しなければ、すなわち、原稿サイズがＡ４サイズとみなせる下限値よりも小さくない場合には（図３のステップＳ１２のＮｏ）、制御部１４は、当該ページ（ｎページ目の原稿サイズ）を「不定形サイズ（大）」に設定する（図３のステップＳ１４）。
【００５３】
このようにして、全ページについて原稿サイズの判定が終了すると、制御部１４は、印刷モードを決定する処理を実行する。本印刷装置１には、「定形印刷モード」、「不定形印刷モード」、及び、「不定形非印刷モード」の３つの印刷モードがある。
【００５４】
制御部１４は、まず、原稿に不定形サイズのものが含まれるか否かを判断する（図４のステップＳ１７）。具体的には、制御部１４は、上記設定した各ページの原稿サイズに「不定形サイズ（小）」又は「不定形サイズ（大）」のものがあるか否かをチェックする。
【００５５】
当該判断の結果、原稿に不定形サイズのものが含まれていない場合には（図４のステップＳ１７のＮｏ）、制御部１４は、印刷モードを「定形印刷モード」に設定する（図４のステップＳ１８）。その後、処理はステップＳ２５に移行する。
【００５６】
一方、原稿に不定形サイズのものが含まれている場合には（図４のステップＳ１７のＹｅｓ）、制御部１４は、不定形の原稿が混じっている旨のメッセージを操作部１３の表示モニターに表示する（図４のステップＳ１９）。
【００５７】
その後、制御部１４は、不定形の原稿を印刷するか否かを選択する選択画面を操作部１３の表示モニターに表示する（図４のステップＳ２０）。
【００５８】
次に、制御部１４は、上記選択画面に対するユーザー操作を受けて、不定形の原稿を印刷するか否かを判断し（図４のステップＳ２１）、不定形の原稿を印刷する場合には（図
４のステップＳ２１のＹｅｓ）、印刷モードを「不定形印刷モード」に設定する（図４のステップＳ２２）。その後、処理はステップＳ２５に移行する。
【００５９】
一方、不定形の原稿を印刷しない場合には（図４のステップＳ２１のＮｏ）、印刷モードを「不定形非印刷モード」に設定する（図４のステップＳ２３）。次に、制御部１４は、不定形の原稿を印刷しないことに伴い、原稿の各ページのｎ値を調整する（図４のステップＳ２４）。具体的には、制御部１４は、不定形の原稿（ページ）のｎ値を削除し、不定形の原稿以外の原稿（ページ）のｎ値が１からの連続数になるように変更する。その後、処理はステップＳ２５に移行する。
【００６０】
ステップＳ２５では、上記設定された内容に従って印刷処理が実行され、当該複写印刷の処理が終了するが、以下に、印刷処理の具体的な内容について説明する。
【００６１】
まず、制御部１４は、当該複写印刷の設定が片面／両面印刷の設定になっているか否かを判断する（図５のステップＳ２５１）。具体的には、制御部１４は、ユーザーによってコピー開始ボタンが押下される前に設定されている印刷条件（設定情報）から判断する。
【００６２】
当該判断の結果、当該複写印刷の設定が片面／両面印刷の設定になっていない場合には（図５のステップＳ２５１のＮｏ）、制御部１４は、これまでに設定されている印刷モード及び設定情報に基づいて、印刷部１５を制御し適切な用紙に印刷を実行する（図６のステップＳ２６０）。これにより、印刷処理が終了する。
【００６３】
一方、上記判断の結果、当該複写印刷の設定が片面／両面印刷の設定になっている場合には（図５のステップＳ２５１のＹｅｓ）、制御部１４は、原稿の中に奇数枚連続原稿があるか否かを判断する（図５のステップＳ２５２）。具体的には、制御部１４は、上記設定された原稿サイズとそれに対応するスキャンデータのｎ値に基づいて当該判断を行う。なお、制御部１４は、ｎ値のあるスキャンデータで原稿サイズが「不定形サイズ（小）」又は「不定形サイズ（大）」に設定されているページは、「不定形サイズ（小）」の場合には「Ａ４」であるとして、「不定形サイズ（大）」の場合には「Ａ３」であるとして、当該判断を行う。
【００６４】
当該判断の結果、奇数枚連続原稿がない場合には（図５のステップＳ２５２のＮｏ）、処理はステップＳ２６３に移行する。
【００６５】
一方、当該判断の結果、奇数枚連続原稿がある場合には（図５のステップＳ２５２のＹｅｓ）、制御部１４は、奇数枚連続原稿の次に原稿があるか否か、換言すれば、スキャンデータがあるか否かを判断し（図５のステップＳ２５３）、なければ（図５のステップＳ２５３のＮｏ）、処理はステップＳ２６３に移行する。
【００６６】
一方、奇数枚連続原稿の次に原稿があれば（図５のステップＳ２５３のＹｅｓ）、制御部１４は、異なるサイズの原稿が同一用紙に印刷される旨のメッセージを操作部１３の表示モニターに表示する（図５のステップＳ２５４）。例えば、Ａ４サイズの用紙の裏面にＡ３サイズの原稿が印刷されるなどのメッセージが表示される。
【００６７】
続いて、制御部１４は、その後の対処法について４つのオプションから選択する選択画面を、操作部１３の表示モニターに表示する（図５のステップＳ２５５）。当該４つのオプションは、上述の通り、（１）片面印刷に変更する、（２）白紙ページを挿入する、（３）設定変更しない、（４）コピーを中止する、である。
【００６８】
当該選択画面に対するユーザーの選択操作を受けて、制御部１４は、上記オプションの
（１）片面印刷に変更する、が選択された場合には（図５のステップＳ２５６のＹｅｓ）、これまでに設定されている印刷モード及び設定情報に基づいて、印刷部１５を制御し適切な用紙に印刷を実行する（図６のステップＳ２６０）。これにより、印刷処理が終了する。
【００６９】
他方、上記選択画面で上記オプションの（４）コピーを中止する、が選択された場合には（図５のステップＳ２５７のＹｅｓ）、制御部１４は、印刷処理が終了する。
【００７０】
他方、上記選択画面で上記オプションの（２）白紙ページを挿入する、が選択された場合には（図５のステップＳ２５８のＹｅｓ）、制御部１４は、奇数枚連続原稿の末尾に白紙ページを追加する（図６のステップＳ２６１）。具体的には、制御部１４は、奇数枚連続原稿と同じサイズのスキャンデータを生成して、奇数枚連続原稿の最終ページの次に追加する。
【００７１】
次に、制御部１４は、上記白紙ページの追加に伴い、原稿の各ページのｎ値を調整する（図６のステップＳ２６２）。具体的には、制御部１４は、追加した白紙のページのスキャンデータに、連番になるようにｎ値を付け、それ以降のスキャンデータのｎ値を連番になるように変更する。その後、処理はステップＳ２６３へ移行する。
【００７２】
他方、上記選択画面で上記オプションの（３）設定変更しない、が選択された場合には（図５のステップＳ２５９のＹｅｓ）、処理はステップＳ２６３へ移行する。
【００７３】
ステップＳ２６３では、制御部１４は、設定されている印刷モードを判別する（図７のステップＳ２６３）。設定されている印刷モードが「定形印刷モード」である場合には、制御部１４は、当該原稿のスキャンデータと設定情報に基づいて、印刷部１５を制御し、適切な用紙に両面印刷を実行する（図７のステップＳ２６４）。これにより、印刷処理が終了する。
【００７４】
他方、設定されている印刷モードが「不定形印刷モード」である場合には、１ページ目（ｎ＝１）から（図７のステップＳ２６５）、全てのスキャンデータについて（原稿の各ページについて）、ステップＳ２６６−Ｓ２７４の処理が適宜実行される。
【００７５】
制御部１４は、各ページにつき以下の処理を実行する。まず、制御部１４は、そのページのスキャンデータを選択し（図７のステップＳ２６６）、そのページに設定されている原稿サイズが不定形であるか否かを判別する（図７のステップＳ２６７）。具体的には、制御部１４は、上記原稿サイズが「不定形サイズ（小）」又は「不定形サイズ（大）」であるか否かをチェックする。
【００７６】
当該判別の結果、原稿サイズが不定形である場合には（図７のステップＳ２６７のＹｅｓ）、制御部１４は、当該ページを用紙の裏面に印刷するのであれば（図７のステップＳ２６８のＮｏ）、前ページ（（ｎ-１）ページ目）と同じ用紙の裏面に当該ページの印刷を実行し（図７のステップＳ２７４）、当該ページの印刷を終了する。
【００７７】
一方、当該ページを用紙の表面に印刷するのであれば（図７のステップＳ２６８のＹｅｓ）、制御部１４は、設定されている原稿サイズが「不定形サイズ（小）」であるか否かを判別する（図７のステップＳ２７０）。判別の結果、原稿サイズが「不定形サイズ（小）」である場合には（図７のステップＳ２７０のＹｅｓ）、制御部１４は、当該ページの印刷をＡ４サイズの用紙に実行し（図７のステップＳ２７２）、当該ページの印刷を終了する。一方、原稿サイズが「不定形サイズ（大）」である場合には（図７のステップＳ２７０のＮｏ）、制御部１４は、当該ページの印刷をＡ３サイズの用紙に実行し（図７のス
テップＳ２７３）、当該ページの印刷を終了する。
【００７８】
ステップＳ２６７において、原稿サイズが不定形でない場合には（図７のステップＳ２６７のＮｏ）、制御部１４は、当該ページを用紙の裏面に印刷するのであれば（図７のステップＳ２６９のＮｏ）、前ページ（（ｎ-１）ページ目）と同じ用紙の裏面に当該ページの印刷を実行し（図７のステップＳ２７４）、当該ページの印刷を終了する。一方、当該ページを用紙の表面に印刷するのであれば（図７のステップＳ２６９のＹｅｓ）、制御部１４は、当該ページのスキャンデータの原稿サイズと一致する用紙サイズの用紙に印刷を実行し（図７のステップＳ２７１）、当該ページの印刷を終了する。
【００７９】
ステップＳ２６３に戻って、設定されている印刷モードが「不定形非印刷モード」である場合には、１ページ目（ｎ＝１）から（図８のステップＳ２７７）、全てのスキャンデータについて（原稿の各ページについて）、ステップＳ２７８−Ｓ２８１の処理が適宜実行される。
【００８０】
制御部１４は、各ページにつき以下の処理を実行する。まず、制御部１４は、そのページのスキャンデータを選択し（図８のステップＳ２７８）、当該ページを用紙の裏面に印刷するのであれば（図８のステップＳ２７９のＮｏ）、前ページ（（ｎ-１）ページ目）と同じ用紙の裏面に、すなわち、表面が印刷済みの用紙の裏面に、当該ページの印刷を実行し（図８のステップＳ２８１）、当該ページの印刷を終了する。一方、当該ページを用紙の表面に印刷するのであれば（図８のステップＳ２７９のＹｅｓ）、制御部１４は、当該ページのスキャンデータの原稿サイズと一致する用紙サイズの用紙に印刷を実行し（図８のステップＳ２８０）、当該ページの印刷を終了する。なお、不定形の原稿（ページ）のｎ値は、上述の通り削除されているので、上記処理で不定形のページは印刷されない。
【００８１】
このようにして、いずれのモードについても印刷処理が終了する。
【００８２】
なお、上述の説明では、不定形の原稿サイズを「不定形サイズ（小）」と「不定形サイズ（大）」に分け、それらを印刷する用紙として、それぞれ、Ａ４サイズとＡ３サイズの用紙を設定したが、不定形サイズを１カテゴリーとして扱い、不定形サイズの原稿を印刷する場合には、一律にＡ３サイズの用紙に設定する、ようにしてもよい。
【００８３】
また、上記の説明では、定型サイズとしてＡ４サイズとＡ３サイズを用い、これらのサイズの混載印刷を例にして説明したが、他の定型サイズの組み合わせ、例えば、Ｂ４サイズとＢ５サイズ、ＬｅｇａｌサイズとＬｅｔｔｅｒサイズ、又は、８Ｋサイズと１６Ｋサイズ（中国などで使用されている用紙の定型サイズ）などの組み合わせによる混載印刷であっても良い。
【００８４】
以上説明したように、本実施の形態例に係る印刷装置１では、混載印刷かつ片面／両面印刷の場合に、奇数枚連続原稿があるとユーザーの選択にしたがった回避処理が実行される。従って、ユーザーの意に反して、原稿サイズと用紙サイズが整合しない印刷を実行してしまうことを回避できる。
【００８５】
また、白紙ページを挿入する処理は、自動で実行されるので、ユーザーの手を煩わせることがなく、所望の印刷結果を得ることができる。
【００８６】
また、上述した選択画面により、片面印刷に変更すること、コピーを中止すること、をユーザーが選択できるので、ユーザー利便性が高い。
【００８７】
また、上述した奇数枚連続原稿がある場合にも、それに続く原稿がなければ、上記回避
処理は実行されず、効率的に処理が進められる。
【００８８】
なお、片面印刷にするなどの設定変更をしない旨のユーザー選択が行われた場合には、原稿サイズと用紙サイズの不整合があってもそのまま印刷を実行する。この場合にも、ユーザーが意図した印刷であり、ユーザーが意図していない印刷結果とはならない。
【００８９】
また、原稿の用紙が不定形であった場合に、その用紙長さが、Ａ４サイズの用紙長さの許容範囲内、又は、Ａ３サイズの用紙長さの許容範囲内に入っている場合には、それぞれ、Ａ４サイズ及びＡ３サイズとして扱い、それらの許容範囲に入っていない場合には、不定形サイズとして扱う。これにより、不定形の原稿について、従来よりもきめ細かく対処でき、ユーザー利便性を向上させることができる。
【００９０】
また、不定形サイズの原稿がある場合に、その原稿を印刷するか否かをユーザーが選択でき、印刷しない場合には、その原稿を除いて印刷が実行される。従って、この点においても、ユーザーが意図したとおりの印刷が行え、ユーザー利便性が高い。また、この場合には、不定形の原稿について、別途、ユーザーが定義したサイズの用紙を使って印刷することもできる。
【００９１】
また、不定形サイズの原稿を印刷する場合には、Ａ３サイズの用紙を使用するようにしても良く、この場合には、原稿の内容が欠落せず印刷される可能性が高い。
【００９２】
また、不定形サイズを、上述の通り、「不定形サイズ（小）」と「不定形サイズ（大）」に分け、それらの原稿を印刷する場合には、それぞれ、Ａ４サイズとＡ３サイズの用紙に印刷するようにしても良く、原稿サイズの大小に相応した用紙サイズに印刷することが可能である。
【００９３】
本実施の形態例では、ＣＰＵ（プロセッサー）が各処理を実行する例を説明した。
【００９４】
ここで、本明細書において、ＣＰＵは、１又は複数のＣＰＵにより構成されていてもよいし、１又は複数の集積回路（例えば、ＡＳＩＣ）により構成されていてもよい。また、ＣＰＵは、１又は複数のＣＰＵと、１又は複数の集積回路と、の組み合わせにより構成されていてもよい。
【００９５】
本発明の保護範囲は、上記の実施の形態に限定されず、特許請求の範囲に記載された発明とその均等物に及ぶものである。
【符号の説明】
【００９６】
１…印刷装置、２…原稿、１１…原稿供給部、１２…画像読取部、１３…操作部、１４…制御部、１５…印刷部。
【図１】
2019024183.tif 000003
【図２】
2019024183.tif 000004
【図３】
2019024183.tif 000005
【図４】
2019024183.tif 000006
【図５】
2019024183.tif 000007
【図６】
2019024183.tif 000008
【図７】
2019024183.tif 000009
【図８】
2019024183.tif 000010